(57)【要約】      （修正有）【課題】計測システムを収容する筺体内の限られたスペースにおいて、配線を複雑にすることなく電気を供給することができる、燃料電池の計測システムの配線器具を提供する。【解決手段】第一テーブルタップ３と第二テーブルタップ４が第二ケーブル７で接続された構成とすることで、二つのテーブルタップを蛸足配線することなしに、多数の計測装置やロガーなどの電源に電気を供給することを可能とする。従って、蛸足配線によるスペース増加を抑制すると共に、蛸足配線の外れを防止する。更に、第一テーブルタップ３と第二テーブルタップ４との間で、ある程度の折り曲げとねじれを許容することができるため、筺体内における最適な位置に各テーブルタップ３，４を配置することを可能とする。従って、計測システムの配線の複雑化を抑制する。【選択図】図１
2011040211.tif 000002
【特許請求の範囲】
【請求項１】
燃料電池の計測システムに用いられる配線器具であって、
第一ケーブルを介してプラグが接続されると共に、複数のコンセントが形成された第一テーブルタップと、
第二ケーブルを介して前記第一テーブルタップが接続されると共に、複数のコンセントが形成された第二テーブルタップと、を備えることを特徴とする配線器具。
【請求項２】
前記第一テーブルタップは、電気の供給のオン・オフが切替不能に構成され、
前記第二テーブルタップは、スイッチが設けられることによって、電気の供給のオン・オフが切替可能に構成されていることを特徴とする請求項１記載の配線器具。
【請求項３】
前記第一テーブルタップ及び前記第二テーブルタップの少なくとも一方は、テーブルタップの長手方向に沿って延びる溝部を備えることを特徴とする請求項１または２記載の配線器具。
【請求項４】
前記第一テーブルタップ及び前記第二テーブルタップの少なくとも一方は、折りたたんだケーブルを収容可能に形成された内部空間を備えることを特徴とする請求項１または２記載の配線器具。
【請求項５】
前記第一テーブルタップ及び前記第二テーブルタップの少なくとも一方には、複数の側面に複数の前記コンセントが形成されていることを特徴とする請求項１〜４のいずれか一項記載の配線器具。
【発明の詳細な説明】
【技術分野】
【０００１】
本発明は、燃料電池の計測システムに用いられる配線器具に関する。
【背景技術】
【０００２】
従来の配線器具として、ケーブルを介してプラグに接続されたテーブルタップを備える配線器具が知られている（例えば、特許文献１）。この配線器具においては、テーブルタップが複数のコンセントを有しているため、複数の電気機器に対して電気を供給することが可能である。
【先行技術文献】
【特許文献】
【０００３】
【特許文献１】実用新案登録第３０７２９４４号公報
【発明の概要】
【発明が解決しようとする課題】
【０００４】
ここで、定置式の燃料電池システムは、屋外の限られたスペースに設置されるため、燃料電池用計測機器等も屋外に設置される。また、燃料電池用計測機器類は、耐雨のために筺体内の限られたスペースに収納されて設置される。燃料電池の計測システムにおいては、数多くの計測機器とロガー（記録装置）が存在し、それぞれの機器についての電源が必要とされるため、筺体内の限られたスペース内で配線が非常に複雑になると共に、多くのコンセントが必要とされる。
【０００５】
上述の従来の配線器具を燃料電池の計測システムに用いた場合、電源の多さから複数のテーブルタップが必要となるが、蛸足配線をした場合は余計なスペースが必要となるため、筺体内のスペースが更に狭くなってしまうという問題がある。更に、計測システムの配線が複雑であるため蛸足配線が外れてしまう可能性もある。また、単純にテーブルタップを大きくしてコンセントの数を増やした場合、一つのテーブルタップに対して各電源のケーブルを引き伸ばさなくてはならず、筺体内のスペースが更に狭くなると共に、計測システムの配線が更に複雑になってしまうという問題がある。以上より、筺体内の限られたスペースにおいて、配線を複雑にすることなく電気を供給することができる配線器具が従来より求められていた。
【０００６】
本発明は、計測システムを収容する筺体内の限られたスペースにおいて、配線を複雑にすることなく電気を供給することができる、燃料電池の計測システムの配線器具を提供することを目的とする。
【課題を解決するための手段】
【０００７】
本発明に係る配線器具は、燃料電池の計測システムに用いられる配線器具であって、第一ケーブルを介してプラグが接続されると共に、複数のコンセントが形成された第一テーブルタップと、第二ケーブルを介して第一テーブルタップが接続されると共に、複数のコンセントが形成された第二テーブルタップと、を備えることを特徴とする。
【０００８】
この配線器具では、第一テーブルタップと第二テーブルタップが第二ケーブルで接続された構成となっているため、二つのテーブルタップを蛸足配線することなしに、多数の電源に電気を供給することが可能となる。従って、蛸足配線によるスペース増加を抑制すると共に、蛸足配線の外れを防止することができる。更に、第一テーブルタップと第二テーブルタップとの間で、ある程度の折り曲げとねじれを許容することができるため、筺体内における最適な位置に各テーブルタップを配置することが可能となる。従って、計測システムの配線の複雑化を抑制することができる。以上によって、計測システムを収容する筺体内の限られたスペースにおいて、配線を複雑にすることなく電気を供給することができる。
【０００９】
また、本発明に係る配線器具において、第一テーブルタップは、電気の供給のオン・オフが切替不能に構成され、第二テーブルタップは、スイッチが設けられることによって、電気の供給のオン・オフが切替可能に構成されていることが好ましい。ここで、燃料電池の計測システムは、複数の計測センサ類と複数のロガーなどが筺体内に配置されている。計測センサ類は燃料電池システム部品の各部温度、流体流量、圧力などの計測を行う機能を有している。例えばバーナ温度などの、システム制御上必要なパラメータはシステム内で計測して制御パラメータとして使用できるが、制御上必ずしも必要ではないが参考値としてパラメータを監視するためには新たな外付けの計測システムが必要となるため、各計測センサ類が必要となる。ロガーは、燃料電池システム運転時の要求に対する各部位温度、流量、圧力の経時変化のログをとる機能を有している。例えば、家庭での負荷変動に対するバーナ上部筺体温度の変化のログをとることで、システム中最も高温になる部位の最大温度の確認をすることができる。このロガーには複数の計測センサが接続されており、各計測センサの値のログをとることができる。ここで、燃料電池システムは２４時間、常時運転するものであるため、燃料電池システムを監視するために必要なパラメータのログをとるべく、ロガーは電源を落とさずに常時起動させておく必要がある。一方、ログは目的とした負荷変動時の各部位挙動を監視するためにとるものなので、パラメータによっては必ずしも２４時間とる必要がないものもある。また、温度の計測センサは電源が不要であるため、温度だけを監視したいのであれば、計測センサ類に対する電源を落としても、ロガーに電源を供給するだけで温度のログをとることができる。従って、電力節約のために、不要な計測センサに対しては、必要なタイミングのみ電源を供給し、使用しないときは電源を落とすことが好ましい。このように、燃料電池の計測システムでは、電源を落とすべき機器と電源を落とすべきでない機器が狭い筺体内において大量に存在しており、電源周りの配線が非常に複雑になる。従って、電源を落とすべき機器の電源を落とすことができない場合や、電源を落とすべきでない機器を誤って電源を落としてしまう場合があった。
【００１０】
本発明に係る配線器具では、第二テーブルタップにはスイッチが設けられているため、当該第二テーブルタップに計測センサ類の電源を接続することによって、スイッチの切替で電源のオン・オフを行うことができる。一方、第一テーブルタップは、オン・オフが切替不能に構成されているため、当該第一テーブルタップにロガーの電源を接続することによって、誤ってロガーの電源が落とされることを防止し、確実にログをとることができる。以上によって、狭い筺体内で電源を落とすべき機器と電源を落とすべきでない機器が多数混在する燃料電池の計測システムに対して、一層最適な配線器具を提供することが可能となる。
【００１１】
また、本発明に係る配線器具において、第一テーブルタップ及び第二テーブルタップの少なくとも一方は、テーブルタップの長手方向に沿って延びる溝部を備えることが好ましい。テーブルタップの長手方向に沿って延びる溝部に第一ケーブルをはめ込むことによって、プラグと第一テーブルタップとの間のケーブルの長さを容易に調整することができる。あるいは、溝部に第二ケーブルをはめ込むことによって、第一テーブルタップと第二テーブルタップとの間のケーブル長さを容易に調整することができる。例えば、外部の電源コンセントが計測システムの近くにある場合、溝部へ第一ケーブルをはめ込むことで、余分なケーブルがはみ出ることを防止して、筺体内のスペースの無駄及び配線の複雑化を防止することができる。一方、外部の電源コンセントが計測システムから遠い場合、溝部から第一ケーブルを取り出すことができる。また、第一テーブルタップと第二テーブルタップ同士を近くに配置するべき場合、溝部へ第二ケーブルをはめ込むことで、余分なケーブルがはみ出ることを防止して、筺体内のスペースの無駄及び配線の複雑化を防止することができる。一方、第一テーブルタップと第二テーブルタップ同士の距離を大きくするべき場合、溝部から第二ケーブルを取り出すことができる。
【００１２】
また、本発明に係る配線器具において、第一テーブルタップ及び第二テーブルタップの少なくとも一方は、折りたたんだケーブルを収容可能に形成された内部空間を備えることが好ましい。内部空間に第二ケーブルを折りたたんで収容することによって、プラグと第一テーブルタップとの間のケーブルの長さ、あるいは、第一テーブルタップと第二テーブルタップとの間のケーブル長さを容易に調整することができる。例えば、外部の電源コンセントが計測システムの近くにある場合、内部空間へ第一ケーブルを収容することで、余分なケーブルがはみ出ることを防止して、筺体内のスペースの無駄及び配線の複雑化を防止することができる。一方、外部の電源コンセントが計測システムから遠い場合、内部空間から第一ケーブルを取り出すことができる。また、第一テーブルタップと第二テーブルタップ同士を近くに配置するべき場合、内部空間へ第二ケーブルを収容することで、余分なケーブルがはみ出ることを防止して、筺体内のスペースの無駄及び配線の複雑化を防止することができる。一方、第一テーブルタップと第二テーブルタップ同士の距離を大きくするべき場合、内部空間から第二ケーブルを取り出すことができる。
【００１３】
また、本発明に係る配線器具において、第一テーブルタップ及び第二テーブルタップの少なくとも一方には、複数の側面に複数のコンセントが形成されていることが好ましい。これによって、テーブルタップ一つあたりに差し込むことができるプラグの数を増加させることができるため、計測機器の数に対するテーブルタップの大きさをコンパクトにすることができる。
【発明の効果】
【００１４】
本発明によれば、計測システムを収容する筺体内の限られたスペースにおいて、配線を複雑にすることなく電気を供給することができる。
【図面の簡単な説明】
【００１５】
【図１】第一実施形態に係る配線器具の斜視図である。
【図２】第一実施形態に係る配線器具の回路図である。
【図３】第一実施形態に係る配線器具を燃料電池の計測システムに適用した場合の使用状態を示す図である。
【図４】本発明の第二実施形態に係る配線器具を示す図であり、テーブルタップを背面から見た図である。
【図５】本発明の第三実施形態に係る配線器具を示す図であり、テーブルタップを背面から見た図である。
【図６】本発明の第四実施形態に係る配線器具を示す斜視図である。
【図７】変形例に係る配線器具を示す図である。
【発明を実施するための形態】
【００１６】
以下、本発明の好適な実施形態について、図面を参照して詳細に説明する。なお、各図において同一又は相当部分には同一符号を付し、重複する説明を省略する。
【００１７】
［第一実施形態］
本発明の第一実施形態に係る配線器具について説明する。図１は、第一実施形態に係る配線器具１の斜視図である。図２は、第一実施形態に係る配線器具１の回路図である。図３は、第一実施形態に係る配線器具を燃料電池の計測システムに適用した場合の使用状態を示す図である。
【００１８】
配線器具１は、燃料電池の計測システムにおける各機器に電気を供給するための器具であり、屋外に配置された筺体内に各計測機器やロガーと共に収容される。図１及び図２に示すように、配線器具１は、外部のコンセントに差し込むためのプラグ２と、第一テーブルタップ３と、第二テーブルタップ４と、プラグ２と第一テーブルタップ３とを接続する第一ケーブル６と、第一テーブルタップ３と第二テーブルタップ４とを接続する第二ケーブル７とを備えて構成されている。プラグ２は、屋外用の防水用のプラグが適用される。
【００１９】
第一テーブルタップ３は、長方形箱状のケース１１内に複数のコンセント１２を並列に配設することによって構成されている。各コンセント１２の差込口は、ケース１１の側面１１ａから露出している。ケース１１の長手方向の一端側の側面には第一ケーブル６が接続され、ケース１１の長手方向の他端側の側面には第二ケーブル７が接続されている。第一テーブルタップ３には、切替用のスイッチが設けられておらず、全てのコンセント１２について電気の供給のオン・オフが切替不能に構成されている。第二ケーブル７は、第一テーブルタップ３及び第二テーブルタップ４に対して、プラグなどを介することなく直接接続されている。
【００２０】
第二テーブルタップ４は、長方形箱状のケース１３内に複数のコンセント１４を並列に配設することによって構成されている。各コンセント１４の差込口は、ケース１３の側面１３ａから露出している。ケース１３の長手方向の一端側の側面には第二ケーブル７が接続されている。第二テーブルタップ４には、切替用のスイッチ１６が設けられており、これによって、電気の供給のオン・オフが切替可能に構成されている。スイッチ１６は、第二テーブルタップ４全体のオン・オフを行うことが可能であり、スイッチ１６をオフとすると全てのコンセント１４がオフとされ、スイッチ１６をオンとすると全てのコンセント１４がオンとされる。なお、スイッチは、コンセント１４の一つ一つに対して設けてもよい。
【００２１】
次に、図３を参照して、配線器具１を燃料電池の計測システムに適用した場合の使用状態について説明する。配線器具１の適用対象となる燃料電池ＦＣ及びその計測システムＭＳは屋外に設置される。計測システムＭＳは、屋外用防水物置などの筺体２１内に、分析計２２などの計測機器やロガー２３が収容されることによって構成される。配線器具１は、分析計２２やロガー２３の電気供給用の分岐器具として筺体２１内に収容される。図３に示す例では、筺体２１が上下二段に構成されており、上段側に分析計２２などの計測機器が配置されて、下段側にロガー２３が配置される。
【００２２】
例えばバーナ温度などの、システム制御上必要なパラメータはシステム内で計測して制御パラメータとして使用できるが、制御上必ずしも必要ではないが参考値としてパラメータを監視するためには新たな外付けの計測システムＭＳが必要となる。分析計２２などの計測機器は、例えば、燃料電池システム部品の各部温度、流体流量、圧力などの計測を行う機能を有している。ロガー２３は、燃料電池ＦＣ運転時の要求に対する各部位温度、流量、圧力の経時変化のログをとる機能を有している。例えば、家庭での負荷変動に対するバーナ上部筺体温度の変化のログをとることで、システム中最も高温になる部位の最大温度の確認をすることができる。図においては、一つのロガー２３に対して一つの分析計２２が接続されているが、ロガー２３には複数の計測センサを接続して、各計測センサの値のログをとることもできる。
【００２３】
筺体２１の下段側では、ロガー２３の設置位置との関係で、空いているスペースに配線器具１の第一テーブルタップ３が配置される。第一テーブルタップ３のコンセントには、ケーブルＬ１を介してロガー２３のプラグ２３ａが差し込まれる。
【００２４】
一方、第二テーブルタップ４は、第二ケーブル７を折り曲げると共にねじることによって、筺体２１の上段側における空いているスペースに配置される。第二テーブルタップ４のコンセントには、ケーブルＬ２を介して分析計２２のプラグ２２ａが差し込まれる。分析計２２は、更にケーブルＬ３を介してロガー２３に接続され、ロガー２３はケーブルＬ４を介して燃料電池ＦＣの内部計測機２７に接続される。
【００２５】
次に、第一実施形態に係る配線器具１の作用・効果について説明する。
【００２６】
第一実施形態に係る配線器具１では、第一テーブルタップ３と第二テーブルタップ４が第二ケーブル７で接続された構成となっているため、二つのテーブルタップを蛸足配線することなしに、多数の計測装置やロガーなどの電源に電気を供給することが可能となる。従って、蛸足配線によるスペース増加を抑制すると共に、蛸足配線の外れを防止することができる。更に、第一テーブルタップ３と第二テーブルタップ４との間で、ある程度の折り曲げとねじれを許容することができるため、筺体２１内における最適な位置に各テーブルタップ３，４を配置することが可能となる。従って、計測システムＭＳの配線の複雑化を抑制することができる。以上によって、計測システムＭＳを収容する筺体２１内の限られたスペースにおいて、配線を複雑にすることなく電気を供給することができる。
【００２７】
ここで、燃料電池ＦＣは２４時間、常時運転するものであるため、燃料電池ＦＣを監視するのに必要なパラメータのログをとるべく、ロガー２３は電源を落とさずに常時起動させておく必要がある。一方、ログは目的とした負荷変動時の各部位挙動を監視するためにとるものなので、パラメータによっては必ずしも２４時間ログをとる必要がないものもある。また、温度の計測センサは電源が不要であるため、温度だけを監視したいのであれば、分析計２２に対する電源を落としても、ロガー２３に電源を供給するだけで温度のログをとることができる。従って、電力節約のために、不要な分析計２２に対しては、必要なタイミングのみ電源を供給し、使用しないときは電源を落とすことが好ましい。このように、燃料電池ＦＣの計測システムＭＳでは、電源を落とすべき機器と電源を落とすべきでない機器が狭い筺体内において大量に存在しており、電源周りの配線が非常に複雑になる。従って、電源を落とすべき機器の電源を落とすことができない場合や、電源を落とすべきでない機器を誤って電源を落としてしまう場合があった。
【００２８】
これに対し、本実施形態に係る配線器具１において、第一テーブルタップ３は、電気の供給のオン・オフが切替不能に構成され、第二テーブルタップ４は、スイッチ１６が設けられることによって、電気の供給のオン・オフが切替可能に構成されている。第二テーブルタップ４にはスイッチ１６が設けられているため、当該第二テーブルタップ４に分析計２２などの計測センサ類の電源を接続することによって、スイッチ１６の切替で電源のオン・オフを行うことができる。一方、第一テーブルタップ３は、オン・オフが切替不能に構成されているため、当該第一テーブルタップ３にロガー２３の電源を接続することによって、誤ってロガー２３の電源が落とされることを防止し、確実にログをとることができる。以上によって、狭い筺体２１内で電源を落とすべき機器と電源を落とすべきでない機器が多数混在する燃料電池の計測システムに対して、一層最適な配線器具１を提供することが可能となる。本実施形態に係る配線器具１では、第二テーブルタップ４のスイッチ１６を落とした場合、全ての分析計２２の電源を落とすことができるので、ロガー２３は、温度などのようにセンサ電源が不要でロガー２３の電源供給のみでログを取れるパラメータについての監視を行うことができる。なお、第二テーブルタップ４のコンセント１４の一つ一つに対してスイッチを設けた場合、常時取得する必要のあるパラメータについては計測機器のスイッチを落とさず、常時ログを取る必要がないパラメータの計測機器については必要なタイミングのみでスイッチを入れることによって、必要なパラメータを必要なタイミングでログを取ることができる。
【００２９】
［第二実施形態］
図４は、本発明の第二実施形態に係る配線器具４０を示す図であり、テーブルタップを背面から見た図である。本発明の第二実施形態に係る配線器具４０が第一実施形態に係る配線器具１と異なる点は、テーブルタップの背面に溝部を形成した点である。
【００３０】
図４に示すように、第一テーブルタップ４１は、ケース４２の背面４２ｂ、すなわちコンセントの差込口が露出する側面４２ａの反対側の面に溝部４３を備えている。溝部４３は、ケース４２の背面４２ｂにおいて、長手方向の全体にわたって延在しており、その長手方向の両端部が開口している。溝部４３は、その断面形状が略楕円状となっており、この断面形状は第二ケーブル７よりも僅かに大きくなって、第二ケーブル７を収納しておくことが可能な大きさとなっている。溝部４３には、内部から背面４２ｂに向かって開口するスリット４３ａが長手方向の全長にわたって形成されている。スリット４３ａの幅は、第二ケーブル７の幅よりも小さく、第二ケーブル７の厚さよりも大きくされている。溝部４３にはめ込むことのできる第二ケーブル７は、長手方向の一端側において、溝部４３の内部に接続されている。従って、第二ケーブル７をねじって溝部４３のスリット４３ａを通すことで、第二ケーブル７を溝部４３へはめ込み、取り出すことができる。
【００３１】
このような構成によって、第二実施形態に係る配線器具４０においては、第一テーブルタップ４１の長手方向に沿って延びる溝部４３に第二ケーブル７をはめ込むことによって、第一テーブルタップ４１と第二テーブルタップとの間のケーブル長さを容易に調整することができる。例えば、計測システムの筺体内において計測機器とロガーとの距離が離れていることによって、第一テーブルタップ４１と第二テーブルタップ同士の距離を大きくするべき場合、図４（ａ）に示すように、溝部４３から第二ケーブル７を取り出すことができる。これによって、第一テーブルタップ４１と第二テーブルタップとの間のケーブル長さを長くすることができる。一方、計測システムの筺体内において計測機器とロガーとの距離が近く、第一テーブルタップ４１と第二テーブルタップ同士を近くに配置するべき場合、図４（ｂ）に示すように、溝部４３へ第二ケーブル７をはめ込むことで、余分なケーブルがはみ出ることを防止して、筺体内のスペースの無駄及び配線の複雑化を防止することができる。
【００３２】
また、図４で説明した溝部を第二テーブルタップに形成してもよい。これによって、第二テーブルタップ側で第二ケーブル７の長さを調整することができる。更に、第一テーブルタップと第二テーブルタップの両方に溝部を形成してもよい。第一テーブルタップと第二テーブルタップの両方で第二ケーブル７長さ調整を行うことで、一層段階的な長さ調整が可能となる。また、各テーブルタップの配置場所のスペースの状況に合わせて、長さ調整し易い方のテーブルタップのみで長さ調整を行うこともできる。
【００３３】
また、第一テーブルタップの溝部によって、第一ケーブル６の長さ調整を行ってもよい。第一テーブルタップの長手方向に沿って延びる溝部に第一ケーブル６をはめ込むことによって、プラグと第一テーブルタップとの間のケーブルの長さを容易に調整することができる。例えば、外部の電源コンセントが計測システムの近くにある場合、溝部へ第一ケーブル６をはめ込むことで、余分なケーブルがはみ出ることを防止して、筺体内のスペースの無駄を防止することができる。一方、外部の電源コンセントが計測システムから遠い場合、溝部から第一ケーブル６を取り出すことができる。
【００３４】
［第三実施形態］
図５は、本発明の第三実施形態に係る配線器具５０を示す図であり、テーブルタップを背面から見た図である。本発明の第三実施形態に係る配線器具５０が第一実施形態に係る配線器具１と異なる点は、テーブルタップの背面側に穴部を形成することによってケーブル収納用の内部空間を形成した点である。
【００３５】
図５に示すように、第一テーブルタップ５１は、ケース５２の背面５２ｂ側、すなわちコンセントの差込口が露出する側面５２ａの反対側の面側に内部空間５３を備えている。内部空間５３は、ケース５２の長手方向の一端面５２ｃに、ケース５２の長手方向に延びる矩形状の穴部５４を形成することによって構成されている。穴部５４の一端面５２ｃにおける開口部の大きさは、第二ケーブル７を一回あるいは複数回折りたたんで挿入することができる程度の大きさとされており、穴部５４の深さは、ケース５２の長手方向の他端面５２ｄの手前まで延びている。これによって、内部空間５３は、折りたたんだ第二ケーブル７を収容可能な構成となる。このような内部空間５３は、テーブルタップの背面に、断面コ字状をなすと共に長手方向の一端側が開口して他端側が封止されている部材を取り付けることによって容易に形成することができる。内部空間５３に収容することのできる第二ケーブル７は、長手方向の一端面５２ｃ側において、穴部５４の内部に接続されている。
【００３６】
このような構成によって、第三実施形態に係る配線器具５０においては、第一テーブルタップ５１の長手方向に延びる内部空間５３に第二ケーブル７を折りたたんで収納することによって、第一テーブルタップ５１と第二テーブルタップとの間のケーブル長さを容易に調整することができる。例えば、計測システムの筺体内において計測機器とロガーとの距離が離れていることによって、第一テーブルタップ５１と第二テーブルタップ同士の距離を大きくするべき場合、図５（ａ）に示すように、内部空間５３に第二ケーブル７を収納することなく、第二ケーブル７を引き出すことができる。これによって、第一テーブルタップ５１と第二テーブルタップとの間のケーブル長さを長くすることができる。一方、計測システムの筺体内において計測機器とロガーとの距離が近く、第一テーブルタップ５１と第二テーブルタップ同士を近くに配置するべき場合、図５（ｂ）に示すように、内部空間５３へ折りたたんだ第二ケーブル７を収納することで、余分なケーブルがはみ出ることを防止して、筺体内のスペースの無駄及び配線の複雑化を防止することができる。
【００３７】
また、図５で説明した内部空間を第二テーブルタップに形成してもよい。これによって、第二テーブルタップ側で第二ケーブル７の長さを調整することができる。更に、第一テーブルタップと第二テーブルタップの両方に内部空間を形成してもよい。第一テーブルタップと第二テーブルタップの両方で第二ケーブル７長さ調整を行うことで、一層段階的な長さ調整が可能となる。また、各テーブルタップの配置場所のスペースの状況に合わせて、長さ調整し易い方のテーブルタップのみで長さ調整を行うこともできる。
【００３８】
また、第一テーブルタップの内部空間によって、第一ケーブル６の長さ調整を行ってもよい。第一テーブルタップの長手方向に沿って延びる内部空間に第一ケーブル６を折りたたんで収容することによって、プラグと第一テーブルタップとの間のケーブルの長さを容易に調整することができる。例えば、外部の電源コンセントが計測システムの近くにある場合、内部空間へ第一ケーブル６を収納することで、余分なケーブルがはみ出ることを防止して、筺体内のスペースの無駄及び配線の複雑化を防止することができる。一方、外部の電源コンセントが計測システムから遠い場合、内部空間から第一ケーブル６を取り出すことができる。
【００３９】
［第四実施形態］
図６は、本発明の第四実施形態に係る配線器具６０を示す斜視図である。本発明の第四実施形態に係る配線器具６０が第一実施形態に係る配線器具１と異なる点は、ケースの複数の面にコンセントが形成されている点である。
【００４０】
図６に示すように、配線器具６０は、第一テーブルタップ６１と第二テーブルタップ６２を備えている。第一テーブルタップ６１には、ケース６３の側面６３ａに複数のコンセント６４が形成されていると共に、ケース６３の側面６３ｂにも複数のコンセント６６が形成されている。また、第二テーブルタップ６２には、ケース６７の側面６７ａに複数のコンセント６８が形成されていると共に、ケース６７の側面６７ｂに複数のコンセント６９が形成されている。これによって、テーブルタップ一つあたりに差し込むことができるプラグの数を増加させることができるため、計測機器の数に対するテーブルタップの大きさをコンパクトにすることができる。
【００４１】
以上、本発明の好適な実施形態について説明してきたが、本発明は、必ずしも上述した実施形態に限定されるものではなく、その要旨を逸脱しない範囲で様々な変更が可能である。
【００４２】
例えば、第一実施形態に係る配線器具１においては、各テーブルタップの背面に図７に示すように磁石を設けてもよい。これによって、計測システムの筺体内の壁面や床面に各テーブルタップを容易に固定することができる。図７（ａ）に示すように、変形例に係る配線器具７０の第一テーブルタップ３の背面には、磁石７１と磁石７２が設けられている。また、第二テーブルタップ４の背面には、磁石７３と磁石７４が設けられている。更に、第一テーブルタップ３に設けられる磁石７１は外面側がＮ極であり、磁石７２は外面側がＳ極である。一方、第二テーブルタップ４に設けられる磁石７３は外面側がＳ極であり、磁石７４は外面側がＮ極である。これによって、図７（ｂ）に示すように、磁石７１と磁石７３とを合わせると共に磁石７２と磁石７４とを合わせることによって、配線器具７０を使用しない場合は、第一テーブルタップ３と第二テーブルタップ４同士をコンパクトに固定しておくことができる。
【００４３】
また、第一実施形態に係る配線器具１においては、第二テーブルタップ４にスイッチが設けられていたが、スイッチを設けなくともよい。また、各実施形態におけるテーブルタップに形成されるコンセントの数は特に限定されない。また、各実施形態においては、テーブルタップはそれぞれ二つ設けられていたが、更にテーブルタップを三つ以上設けて各テーブルタップ同士をケーブルで接続するような構成としてもよい。
【符号の説明】
【００４４】
１，４０，５０，６０，７０…配線器具、２…プラグ、３，４１，５１，６３…第一テーブルタップ、４…第二テーブルタップ、６…第一ケーブル、７…第二ケーブル、１２，１４，６４，６６，６８，６９…コンセント、１６…スイッチ、４３…溝部、５３…内部空間。
【図１】
2011040211.tif 000003
【図２】
2011040211.tif 000004
【図３】
2011040211.tif 000005
【図４】
2011040211.tif 000006
【図５】
2011040211.tif 000007
【図６】
2011040211.tif 000008
【図７】
2011040211.tif 000009